【手続補正書】
【提出日】平成26年9月2日(2014.9.2)
【手続補正１】
【補正対象書類名】特許請求の範囲
【補正対象項目名】全文
【補正方法】変更
【補正の内容】
【特許請求の範囲】
【請求項１】
カメラ本体および前記カメラ本体に対して交換可能に装着される交換レンズを含むカメラシステムにおいて、
前記交換レンズは、
光学状態を変更することにより装着された前記カメラ本体に入射する被写体光束の状態を調節可能な光学手段と、
前記カメラ本体と通信を行うレンズ通信手段と、
撮影者の指の接触、および、接触位置を含む接触状態を検出する検出面であって、前記光学手段の光軸方向と略同一の方向に分割される第１の領域と、第２の領域を有する検出面を有し、前記光学手段の光軸方向と略同一の方向での前記検出面の接触位置を検出する接触位置検出手段と、
前記接触位置検出手段で検出される前記接触位置を含む前記指の接触状態に応じた前記光学手段の制御動作と前記レンズ通信手段による光学手段制御情報の前記カメラ本体への送信動作、または、前記接触状態に応じた前記撮影制御情報の変更動作と前記レンズ通信手段による前記撮影制御情報の前記カメラ本体への送信動作、の少なくとも一つを実行させるレンズ制御手段と、
を有し、
前記レンズ制御部は、前記検出面の第１の領域の接触の有無と接触位置の前記光軸方向の位置に関する前記接触位置検出手段の検出結果に応じて前記撮影制御情報である前記カメラ本体の動作モードの設定値を設定し、
前記検出面の第２の領域の接触の有無に関する前記接触位置検出手段の検出結果に応じて動作モードを設定し、設定された前記動作モードに応じた前記動作設定値を、前記検出面の接触により設定可能とし、
前記カメラ本体は、
前記光学手段制御情報または前記撮影制御情報を記憶する本体記憶手段と、
前記交換レンズと通信を行う本体通信手段と、
前記本体通信手段により取得した前記光学手段制御情報または前記撮影制御情報を前記本体記憶手段に格納する本体制御手段と、
を有する
ことを特徴とするカメラシステム。
【請求項２】
前記交換レンズは、前記接触位置検出手段における前記接触位置を触覚によって前記撮影者に認識させる指標を有する
ことを特徴とする請求項１に記載のカメラシステム。
【請求項３】
前記交換レンズは、前記接触位置検出手段の近傍、又は前記接触位置検出手段と一体に配置されるレンズ側表示手段を有し、
前記レンズ制御手段は、前記接触位置検出手段で検出される前記接触状態により実行される前記操作モードおよび前記操作パラメータを前記レンズ側表示手段に表示させる
ことを特徴とする請求項１または請求項２に記載のカメラシステム。
【請求項４】
前記交換レンズを経由して入射した前記被写体光束の画像を取得し表示する本体表示手段を有し、
前記本体制御手段は、前記本体通信手段により取得された前記光学手段制御情報または前記撮影制御情報を前記本体表示手段に表示する
ことを特徴とする請求項１または請求項２に記載のカメラシステム。
【請求項５】
前記接触位置検出手段は、前記レンズ側表示手段を兼ねるタッチパネルからなる
ことを特徴とする請求項３に記載のカメラシステム。
【請求項６】
カメラ本体に対して交換可能に装着される交換レンズにおいて、
光学状態を変更することにより装着された前記カメラ本体に入射する被写体光束の状態を調節可能な光学手段と、
撮影者の指の接触、および、接触位置を含む接触状態を検出する検出面であって、前記光学手段の光軸方向と略同一の方向に分割される第１の領域と、第２の領域を有する検出面を有し、前記光学手段の光軸方向と略同一の方向での前記検出面の接触位置を検出する接触位置検出手段と、
前記接触位置検出手段で検出される前記接触位置を含む前記指の接触状態に応じて前記光学手段の光学状態を制御するレンズ制御手段と、
を有し、
前記レンズ制御手段は、前記検出面の第１の領域の接触の有無と接触位置の前記光軸方向の位置に関する前記接触位置検出手段の検出結果に応じて動作設定値を設定し、前記動作設定値に応じて前記光学手段の光学状態を制御し、
前記検出面の第２の領域の接触の有無に関する前記接触位置検出手段の検出結果に応じて動作モードを設定し、設定された前記動作モードに応じた前記動作設定値を、前記検出面の接触により設定可能となるように前記接触位置検出手段を制御する
ことを特徴とする交換レンズ。
【請求項７】
前記接触位置検出手段の近傍、又は前記接触位置検出手段と一体に配置されるレンズ側表示手段を有し、
前記レンズ制御手段は、前記動作モードを前記レンズ側表示手段に表示させる
ことを特徴とする請求項６に記載の交換レンズ。
【請求項８】
前記検出面の近傍に設けられ、前記接触位置検出手段での前記接触位置を触覚によって前記撮影者に認識させる指標を有する
ことを特徴とする請求項６に記載の交換レンズ。
【請求項９】
前記指標は、突起、溝、点字、粗面と光沢面の組合せ、の少なくとも一つを含む
ことを特徴とする請求項８に記載の交換レンズ。
【請求項１０】
前記光学手段は、焦点を調節するフォーカスレンズ群と焦点距離を調節するズームレンズ群と前記カメラ本体に入射する光束を規制する絞り部を有し、
前記動作モードは、前記フォーカスレンズ群を移動する焦点調節動作モードと、前記ズームレンズ群を移動するズーム調節動作モードと、前記絞り部の開口を調節する絞り調節動作モードである
ことを特徴とする請求項６に記載の交換レンズ。
【請求項１１】
前記光学手段は、焦点を調節するフォーカスレンズ群と焦点距離を調節するズームレンズ群と前記カメラ本体に入射する光束を規制する絞り部を有し、
前記動作設定値は、前記フォーカスレンズ群を移動に応じた焦点調節位置と、前記ズームレンズ群の移動に応じたズーム位置と、前記絞り部の開口に対応する絞り位置である
ことを特徴とする請求項６に記載の交換レンズ。
【請求項１２】
カメラ本体に対して交換可能に装着される交換レンズにおいて、
光学状態を変更することにより装着された前記カメラ本体に入射する被写体光束の状態を調節可能な光学手段と、
撮影者の指の接触、および、接触位置を含む接触状態を検出する検出面であって、前記光学手段の光軸方向と略同一の方向に分割される第１の領域と、第２の領域を有する検出面を有し、前記光学手段の光軸方向と略同一の方向での前記検出面の接触位置を検出する接触位置検出手段と、
前記接触位置検出手段で検出される前記接触位置を含む前記指の接触状態に応じて前記光学手段の光学状態を制御するレンズ制御手段と、
を有し、
前記接触位置検出手段は、前記光学手段の光軸方向と略直交する方向での前記検出面の接触位置の変化を検出することが可能であり、
前記レンズ制御手段は、前記接触位置検出手段により前記光軸方向と略同一の方向と略直交する方向のうちの一方の方向に関する接触位置の変化に応じて、前記光学手段の光学状態を制御する動作モードを設定し、他方の方向の接触位置の変化に応じて前記動作モードに対応する動作設定値を設定する
ことを特徴とする交換レンズ。
【請求項１３】
前記接触位置検出手段は、接触位置の変化に応じて前記動作モードと前記動作設定値を設定する際に前記検出面の接触位置を検出する領域の範囲を変更することが可能であり、接触を検出している状態では、接触を検出していない場合よりも前記範囲を狭くする
ことを特徴とする請求項１２に記載の交換レンズ。
【手続補正２】
【補正対象書類名】明細書
【補正対象項目名】０００６
【補正方法】変更
【補正の内容】
【０００６】
本発明の第１の観点は、カメラ本体および前記カメラ本体に対して交換可能に装着される交換レンズを含むカメラシステムにおいて、前記交換レンズは、光学状態を変更することにより装着された前記カメラ本体に入射する被写体光束の状態を調節可能な光学手段と、前記カメラ本体と通信を行うレンズ通信手段と、撮影者の指の接触、および、接触位置を含む接触状態を検出する検出面であって、前記光学手段の光軸方向と略同一の方向に分割される第１の領域と、第２の領域を有する検出面を有し、前記光学手段の光軸方向と略同一の方向での前記検出面の接触位置を検出する接触位置検出手段と、前記接触位置検出手段で検出される前記接触位置を含む前記指の接触状態に応じた前記光学手段の制御動作と前記レンズ通信手段による光学手段制御情報の前記カメラ本体への送信動作、または、前記接触状態に応じた前記撮影制御情報の変更動作と前記レンズ通信手段による前記撮影制御情報の前記カメラ本体への送信動作、の少なくとも一つを実行させるレンズ制御手段と、を有し、前記レンズ制御部は、前記検出面の第１の領域の接触の有無と接触位置の前記光軸方向の位置に関する前記接触位置検出手段の検出結果に応じて前記撮影制御情報である前記カメラ本体の動作モードの設定値を設定し、前記検出面の第２の領域の接触の有無に関する前記接触位置検出手段の検出結果に応じて動作モードを設定し、設定された前記動作モードに応じた前記動作設定値を、前記検出面の接触により設定可能とし、前記カメラ本体は、前記光学手段制御情報または前記撮影制御情報を記憶する本体記憶手段と、前記交換レンズと通信を行う本体通信手段と、前記本体通信手段により取得した前記光学手段制御情報または前記撮影制御情報を前記本体記憶手段に格納する本体制御手段と、を有するカメラシステムを提供する。
【手続補正３】
【補正対象書類名】明細書
【補正対象項目名】０００７
【補正方法】変更
【補正の内容】
【０００７】
本発明の第２の観点は、カメラ本体に対して交換可能に装着される交換レンズにおいて、光学状態を変更することにより装着された前記カメラ本体に入射する被写体光束の状態を調節可能な光学手段と、撮影者の指の接触、および、接触位置を含む接触状態を検出する検出面であって、前記光学手段の光軸方向と略同一の方向に分割される第１の領域と、第２の領域を有する検出面を有し、前記光学手段の光軸方向と略同一の方向での前記検出面の接触位置を検出する接触位置検出手段と、前記接触位置検出手段で検出される前記接触位置を含む前記指の接触状態に応じて前記光学手段の光学状態を制御するレンズ制御手段と、を有し、前記レンズ制御手段は、前記検出面の第１の領域の接触の有無と接触位置の前記光軸方向の位置に関する前記接触位置検出手段の検出結果に応じて動作設定値を設定し、前記動作設定値に応じて前記光学手段の光学状態を制御し、前記検出面の第２の領域の接触の有無に関する前記接触位置検出手段の検出結果に応じて動作モードを設定し、設定された前記動作モードに応じた前記動作設定値を、前記検出面の接触により設定可能となるように前記接触位置検出手段を制御する交換レンズを提供する。
【手続補正４】
【補正対象書類名】明細書
【補正対象項目名】０００８
【補正方法】変更
【補正の内容】
【０００８】
本発明の第３の観点は、カメラ本体に対して交換可能に装着される交換レンズにおいて、光学状態を変更することにより装着された前記カメラ本体に入射する被写体光束の状態を調節可能な光学手段と、撮影者の指の接触、および、接触位置を含む接触状態を検出する検出面であって、前記光学手段の光軸方向と略同一の方向に分割される第１の領域と、第２の領域を有する検出面を有し、前記光学手段の光軸方向と略同一の方向での前記検出面の接触位置を検出する接触位置検出手段と、を有し、前記接触位置検出手段は、前記光学手段の光軸方向と略直交する方向での前記検出面の接触位置の変化を検出することが可能であり、前記レンズ制御手段は、前記接触位置検出手段により前記光軸方向と略同一の方向と略直交する方向のうちの一方の方向に関する接触位置の変化に応じて、前記光学手段の光学状態を制御する動作モードを設定し、他方の方向の接触位置の変化に応じて前記動作モードに対応する動作設定値を設定する交換レンズを提供する。